(57)【要約】      （修正有）【課題】各種加工食品・調味料・食用油・育児用食品等用缶に使用されるものであって、タブ開け手段、開缶時における泡の飛散防止手段、缶開口部の保護手段等を備える缶用キャップを提供する。【解決手段】プルタブ缶に用いる樹脂製のキャップであって、キャップには、プルタブ缶の開缶時における泡の飛散を防止する飛散防止部と、キャップ装着時において缶に設けられるタブを挿入するための挿入口と、キャップを缶に取り付けるためのキャップ保持部と、タブの引き起こしを補助するタブ起こし部とを設けて構成される。【選択図】図１Ａ
2004189338.tif 000002
【特許請求の範囲】
【請求項１】
プルタブ缶に用いる樹脂製のキャップであって、
キャップには、プルタブ缶の開缶時における泡の飛散を防止する飛散防止部と、キャップ装着時において缶に設けられるタブを挿入するための挿入口と、キャップを缶に取り付けるためのキャップ保持部と、タブの引き起こしを補助するタブ起こし部とを設けて構成され、
タブが固く開けにくい缶であっても容易に開缶可能とし、プルタブ缶の開缶時に泡が飛散して手や服を汚してしまうことを防止可能とし、缶開口部が剥き出しになることを防止して開缶時に缶内部に開口部切片が没入しても衛生さを保ち、犯罪等により毒物を缶開口部に塗布されることを防止可能としたことを特徴とするタブ開け手段を設けた缶用キャップ。
【請求項２】
請求項１において、
キャップ周囲にはプルタブ缶の上縁部に嵌合するキャップ保持部を形成し、
キャップ上面にはミシン線を設け、該ミシン線を切断することにより、前記挿入口とタブ起こし部とを形成可能としたことを特徴とするタブ開け手段を設けた缶用キャップ。
【請求項３】
請求項１において、
前記キャップには、タブの下方から挿入してタブを持ち上げるタブ起こし部を設けることにより、タブが固く開けにくい缶であっても容易に開缶可能としたことを特徴とするタブ開け手段を設けた缶用キャップ。
【請求項４】
請求項１乃至請求項３において、
缶装着時において、缶開口部の上部に位置する部位に、ストロー挿入口または封止体により封止された開口部を設けたことを特徴とするタブ開け手段を設けた缶用キャップ。
【請求項５】
請求項１乃至請求項４において、
前記キャップを缶に装着した際に缶開口部の近傍に位置する部位を、上方に折り曲げ可能とすることにより、缶からキャップを取外すことなく使用可能としたことを特徴とするタブ開け手段を設けた缶用キャップ。
【請求項６】
請求項１乃至請求項４において、
キャップに設けられるタブ起こし部近傍を、一部切断したのち上方に折り曲げ可能とすることにより、この一角を上方へ折り曲げることで形成される切欠き部が缶開口部と略同位置に来るようにキャップを１８０度回転させることにより、缶からキャップを取外すことなく使用可能としたことを特徴とするタブ開け手段を設けた缶用キャップ。
【請求項７】
請求項１乃至請求項６において、
缶に装着されるキャップの上に重ねてキャップを嵌合し、二重キャップとすることにより安全性を高め、缶内容物の漏れ防止性を向上したことを特徴とするタブ開け手段を設けた缶用キャップ。
【請求項８】
請求項１乃至請求項７において、
キャップから取外し可能な摘み部または封止体を配設し、これら部材にプリントを施すか、その外形をキャラクタの形状に形成するか、またはこれら手段を組み合わせて実施することにより、消費者に摘み部または封止体を収集する楽しみを与えることを特徴とするタブ開け手段を設けた缶用キャップ。
【請求項９】
請求項１乃至請求項８において、
前記キャップに小室を形成し、該小室を物品収容部または泡の一時貯留部としたことを特徴とするタブ開け手段を設けた缶用キャップ。
【請求項１０】
請求項１乃至請求項５または、請求項７乃至請求項９において、
キャップに設けたタブ起こし部側の一角をキャップから切り離し可能とし、この一角を切り離すことで形成される切欠き部が缶開口部と略同位置に来るようにキャップを１８０度回転させることにより、該切欠き部を缶内容物の注ぎ出し口として使用可能としたことを特徴とするタブ開け手段を設けた缶用キャップ。
【請求項１１】
請求項１乃至請求項１０において、
前記キャップ保持部には、缶に一旦取付けられたキャップを破壊することなく缶から取外し困難とする再使用防止部を形成し、一旦取り外されたキャップを、取り外されたことが判別できないように再度取付けることを防止可能としたことを特徴とするタブ開け手段を設けた缶用キャップ。
【請求項１２】
請求項１乃至請求項１１において、
前記キャップに形成されたミシン線の近傍に下方に突出した支持凸部を形成して飲料缶の上蓋とキャップの間に隙間を設けることにより、ミシン線近傍を上方から押下した際に、該ミシン線に剪断力が加えられるように構成し、ミシン線の破断を容易としたことを特徴とするタブ開け手段を設けた缶用キャップ。
【請求項１３】
請求項１乃至請求項１２において、
前記キャップの上面には、キャップの使用方法を示す挿絵と、使用手順を示す文字又は数字と、使用方法を述べた説明文と、キャップに設けられた部材の曲げ方向やキャッツプ本体の移動方向を示す記号のうち一つ以上のものが記載される表示部を設けたことを特徴とするタブ開け手段を設けた缶用キャップ。
【発明の詳細な説明】
【０００１】
【発明の属する技術分野】
本発明は、各種加工食品・調味料・食用油・育児用食品缶等、各種缶に用いることを目的とした缶用キャップの構成に関する。より詳細には、係る缶用キャップにおいて、タブ開け手段、開缶時における泡の飛散防止手段、缶開口部の保護手段等を設けた構成に関する。
【０００２】
【従来の技術】
今日広く普及している缶製品の多くはプルタブ缶を採用しているが、プルタブ缶は、安価に製造可能である、長期保存が可能であるという点で優れている反面、以下に示す点で改良の余地が存在していた。
▲１▼開缶後に缶開口部を閉じることができないので、開缶した缶を保管する場合には、缶の転倒時に缶内容物がこぼれたり、開放したままの開口部から缶内に埃等のいろいろなものが混入したりする可能性がある。
▲２▼缶開口部を閉じることができないので、屋外で開缶した時には、その場で全部飲んでしまうか、内容物を残したまま捨てることになる。
▲３▼商品によってはタブが固く開けにくいこともあり、爪を伸ばしている女性などは、開缶時に爪に欠けやめくれが生じかねない。
▲４▼炭酸系飲料の場合、時として開缶時に生じた泡が飛散して手や服を汚してしまう。
▲５▼販売時に剥き出しになっている開口部切片が開缶時に缶の内部に没入するため、不衛生であるだけでなく、犯罪等により缶開口部に毒物を塗布された場合には、これを缶内に引き込んでしまう。
【０００３】
このような課題のうちいくつかを解消するものとして、例えば特開平０８−３２４６０３号公報に開示される発明が挙げられる。
図１６は、その構成を示しており、図１６（Ａ）は斜視図を、図１６（Ｂ）は断面図を示している。
この発明は、軟質樹脂製の蓋であり、開缶したプルタブ缶の上部から被せることにより蓋周囲の保持部を缶の上部に嵌合して取付けられる。使用に際しては、蓋上面に設けられた開閉可能なキャップ付きの開口部から缶内容物を注ぐことができ、保管時には前記キャップを閉じることで缶内の清浄を保持可能としていた。これにより、上記課題のうち▲１▼及び▲２▼に関しては改善することが可能であった。
【０００４】
しかしながら、前記発明による蓋は、缶を開けてからキャップを装着するものであったため、上記▲３▼乃至▲５▼に挙げられるタブ開けに関する種々の不便さや、購入時以前の缶の状態に関する問題は依然として解消されていなかった。
【０００５】
【発明が解決しようとする課題】
本発明は、上記従来技術の問題点に鑑みなされたものであり、開缶済みプルタブ缶の保管時における缶内容物のこぼれ防止及び缶内の衛生さを保つことを可能とするだけでなく、タブ開けに関する種々の不便さや、購入時以前の缶の状態に関する問題を解消することのできる缶用キャップを提供することを課題としている。
即ち、本発明は、各種加工食品・調味料・食用油・育児用食品缶等に使用されるものであって、タブが固く開けにくい缶であっても容易に開缶できる構成として開缶時に爪に欠けやめくれが生じることを防止可能とし、プルタブ缶の開缶時に泡が飛散して手や服を汚してしまうことを防止可能とし、販売時にプルタブ缶の開口部が剥き出しにならないようにすることで、衛生さを保つだけでなく、犯罪等により毒物を缶開口部に塗布されることを防止可能とするプルタブ缶のキャップを提供することを課題とする。
【０００６】
【課題を解決するための手段】
請求項１記載の発明は、プルタブ缶に用いる樹脂製キャップであって、
キャップには、プルタブ缶の開缶時における泡の飛散を防止する飛散防止部と、キャップ装着時において缶に設けられるタブを挿入するための挿入口と、キャップを缶に取り付けるためのキャップ保持部と、タブの引き起こしを補助するタブ起こし部とを設けて構成され、
タブが固く開けにくい缶であっても容易に開缶可能とし、プルタブ缶の開缶時に泡が飛散して手や服を汚してしまうことを防止可能とし、缶開口部が剥き出しになることを防止して開缶時に缶内部に開口部切片が没入しても衛生さを保ち、犯罪等により毒物を缶開口部に塗布されることを防止可能としたことを特徴とする。
【０００７】
本発明によれば、上記構成により、開缶済みプルタブ缶の保管時における缶内容物のこぼれを防止し、缶内の衛生さを保つだけでなく、タブ開けに関する種々の不便さを解消可能な缶用キャップを提供することができる。即ち、以下記載する三点の効果を得る。▲１▼タブが固く開けにくい缶であっても容易に開缶可能とすることができる。また、▲２▼プルタブ缶の開缶時に泡が飛散して手や服を汚してしまうことを防止することができる。また、▲３▼缶開口部が剥き出しになることを防止し、開缶時に缶内部に開口部切片が没入しても衛生さを保ち、犯罪等により毒物を缶開口部に塗布されることを防止することができる。
【０００８】
請求項２記載の発明は、請求項１において、
キャップ周囲にはプルタブ缶の上縁部に嵌合するキャップ保持部を形成し、
キャップ上面にはミシン線を設け、該ミシン線を切断することにより、前記挿入口とタブ起こし部とを形成可能としたことを特徴とする。
【０００９】
本発明によれば、上記構成により、缶への装着を容易とすることができる。即ち、キャップ周囲にプルタブ缶の上縁部に嵌合するキャップ保持部を形成したことにより、嵌合位置を合わせて軽く押すだけで缶に装着することができる。また、缶装着時において切断する必要がある部分にミシン線を設けたことにより、道具を用いることなく容易に加工して缶に装着することができる。
【００１０】
請求項３記載の発明は、請求項１において、
前記キャップには、タブの下方から挿入してタブを持ち上げるタブ起こし部を設けることにより、タブが固く開けにくい缶であっても容易に開缶可能としたことを特徴とする。
【００１１】
本発明によれば、上記構成により、キャップ装着時においてこのタブ起こし部をタブの下から挿入することによりタブを持ち上げて、タブが固く開けにくい缶であっても容易に開缶可能とすることができる。
【００１２】
請求項４記載の発明は、請求項１乃至請求項３において、
缶装着時において、缶開口部の上部に位置する部位に、ストロー挿入口または封止体により封止された開口部を設けたことを特徴とする。
【００１３】
本発明によれば、上記構成により、キャップを取外すことなく飲料を飲むことが可能なタブ開け手段を設けた缶用キャップを提供することができる。即ち、キャップを取外すことなくストローをさしてジュースを飲むことや、開口部に貼付けられた封止体を剥がして開口部を開けることにより、飲料をカップに移し変えることが可能なタブ開け手段を設けた缶用キャップを提供することができる。
【００１４】
請求項５記載の発明は、請求項１乃至請求項４において、
前記キャップを缶に装着した際に缶開口部の近傍に位置する部位を、上方に折り曲げ可能とすることにより、缶からキャップを取外すことなく使用可能としたことを特徴とする。
【００１５】
本発明によれば、キャップを缶に装着した際に缶開口部の近傍に位置する部位を、上方に折り曲げて、キャップを取外すことなく缶内容物を使用することが可能なタブ開け手段を設けた缶用キャップを提供することができる。
【００１６】
請求項６記載の発明は、請求項１乃至請求項４において、
キャップに設けられるタブ起こし部近傍を、一部切断したのち上方に折り曲げ可能とすることし、この一角を上方へ折り曲げることで形成される切欠き部が缶開口部と略同位置に来るようにキャップを１８０度回転させることにより、缶からキャップを取外すことなく使用可能としたことを特徴とする。
【００１７】
本発明によれば、タブ起こし部近傍を、一部切断したのち上方に折り曲げてキャップを１８０度回転させることにより、キャップを取外すことなく缶内容物を使用することが可能なタブ開け手段を設けた缶用キャップを提供することができる。
【００１８】
請求項７記載の発明は、請求項１乃至請求項６において、
缶に装着されるキャップの上に重ねてキャップを嵌合し、
二重キャップとすることにより安全性を高め、缶内容物の漏れ防止性を向上したことを特徴とする。
【００１９】
本発明によれば、二重にキャップをすることにより、安全性を高め、缶内容物の漏れ防止性を向上したタブ開け手段を設けた缶用キャップを提供することができる。
【００２０】
請求項８記載の発明は、請求項１乃至請求項７において、
キャップから取外し可能な摘み部または封止体を配設し、
これら部材にプリントを施すか、その外形をキャラクタの形状に形成するか、またはこれら手段を組み合わせて実施することにより、消費者に摘み部または封止体を収集する楽しみを与えることを特徴とする。
【００２１】
本発明によれば、上記構成により、封止体または摘み部にプリントを施すか、これら部材の外形をキャラクタの形状に形成するか、またはこれらを組み合わせて実施し、封止体または摘み部をキャップから取外し可能とすることにより、消費者に封止体または摘み部を収集する楽しみを与えるタブ開け手段を設けた缶用キャップを提供することができる。
【００２２】
請求項９記載の発明は、請求項１乃至請求項８において、
前記キャップに小室を形成し、該小室を物品収容部または泡の一時貯留部としたことを特徴とする。
【００２３】
本発明によれば、キャップに小室を形成し、この小室を物品収容部または泡の一時貯留部とすることができるので、この小室内に景品を収納して提供したり、炭酸飲料などの開缶時に発生する泡を小室内に一時的に貯留することで外部に泡が飛散することを防止したりすることが可能なタブ開け手段を設けた缶用キャップを提供することができる。
【００２４】
請求項１０記載の発明は、
請求項１乃至請求項５または、請求項７乃至請求項９において、
キャップに設けたタブ起こし部側の一角をキャップから切り離し可能とし、この一角を切り離すことで形成される切欠き部が缶開口部と略同位置に来るようにキャップを１８０度回転させることにより、該切欠き部を缶内容物の注ぎ出し口として使用可能としたことを特徴とする。
【００２５】
本発明によれば、キャップに設けたタブ起こし部側の一角をキャップから切り離すことで形成される切欠き部が缶開口部と略同位置に来るようにキャップを１８０度回転させることにより、この切欠き部から缶内容物を注ぎ出し可能なタブ開け手段を設けた缶用キャップを提供することができる。
【００２６】
請求項１１記載の発明は、請求項１乃至請求項１０において、
前記キャップ保持部には、缶に一旦取付けられたキャップを破壊することなく缶から取外し困難とする再使用防止部を形成し、一旦取り外されたキャップを、取り外されたことが判別できないように再度取付けることを防止可能としたことを特徴とする。
【００２７】
本発明によれば、一旦取付けられたキャップを破壊することなく缶から取外し困難な再使用防止部を前記キャップ保持部に形成しているので、一旦取り外されたキャップを、取り外されたことが判別できないように再度取付けることを防止することができる。これにより、毒物の混入による犯罪を防止する上で有用なタブ開け手段を設けた缶用キャップを提供することができる。
【００２８】
請求項１２記載の発明は、請求項１乃至請求項１１において、
前記キャップに形成されたミシン線の近傍に下方に突出した支持凸部を形成して飲料缶の上蓋とキャップの間に隙間を設けることにより、ミシン線近傍を上方から押下した際に、該ミシン線に剪断力が加えられるように構成し、ミシン線の破断を容易としたことを特徴とする。
【００２９】
本発明によれば、キャップに形成されたミシン線の近傍に下方に突出した支持凸部を設けることにより、飲料缶の上蓋とキャップの間に隙間を形成している。そのため、ミシン線の近傍を上方から押下するとミシン線に剪断力が作用し、容易に破断することができる。
【００３０】
請求項１３記載の発明は、請求項１乃至請求項１２において、
前記キャップの上面には、キャップの使用方法を示す挿絵と、使用手順を示す文字又は数字と、使用方法を述べた説明文と、キャップに設けられた部材の曲げ方向やキャッツプ本体の移動方向を示す記号のうち一つ以上のものが記載される表示部を設けたことを特徴とする。
【００３１】
本発明によれば、キャップの使用方法を示す挿絵と、使用手順を示す文字又は数字と、使用方法を述べた説明文と、キャップに設けられた部材の曲げ方向やキャッツプ本体の移動方向を示す記号のうち一つ以上のものが記載される表示部をキャップの上面に設けているので、はじめて使用する者であっても使用方法を容易に理解することができる。
【００３２】
【発明の実施の形態】
本発明は、プルタブ缶に用いる樹脂製のキャップであって、
キャップには、プルタブ缶の開缶時における泡の飛散を防止する飛散防止部と、キャップ装着時において缶に設けられるタブを挿入するための挿入口と、キャップを缶に取り付けるためのキャップ保持部と、タブの引き起こしを補助するタブ起こし部とを設けて構成される。
これにより、タブが固く開けにくい缶であっても容易に開缶可能とし、プルタブ缶の開缶時に泡が飛散して手や服を汚してしまうことを防止可能とし、缶開口部が剥き出しになることを防止して開缶時に缶内部に開口部切片が没入しても衛生さを保ち、犯罪等により毒物を缶開口部に塗布されることを防止可能としている。
【００３３】
【実施例】
以下、図面に基づいて、本発明に係るタブ開け手段を設けた缶用キャップの実施例を詳細に説明する。
はじめに、図１及び図２を参照して、本発明に係る第一実施例を説明する。
図１は、本発明に係る第一実施例の構成を示しており、図１（Ａ）・図１（Ｂ）・図１（Ｃ）は、それぞれ第一実施例の平面図・正面図・側面図を示している。
図２は、第一実施例に係るキャップを缶に装着してタブを開ける過程を示している。
【００３４】
キャップ１は樹脂成型により一体形成されており、保持部１１、挿入口１２、ミシン線１３、凸部１４、斜面部１５が設けられている。
【００３５】
缶への装着に際しては、図２（Ａ）・図２（Ｂ）に示すように、缶２の上部からキ
ャップ１を被せて本体の保持部１１を缶の上縁２１に嵌合する。すると、保持部１１が缶の上縁２１に係止してキャップ１が取付けられる。このとき、挿入口１２を開けてタブ２２を通しやすくするために凸部１４を押下しつつ、図３（Ｃ）に示すようにタブ２２を挿入口１２に通す。すると、斜面部前部１７（タブ起こし部）がタブ２２の根元に食い込んでタブ２２が若干持ち上げられる。これにより、タブ２２が容易に引き起こし可能となり、比較的軽い力でもタブ２２を引き起こして開缶することが可能となる。以上が缶への装着過程であるが、これは工場における製造時、または販売店において行うことができる。
そして、タブ２２を引き起こすと、タブ上部のカバー１６がタブと共に持ち上げられるので、スムーズなタブ操作が可能となる。開缶後は、キャップ１を外して容器に缶内容物を注ぐことができる。なお、本実施例における飛散防止部は、缶開口部の上部に位置する部位であり、符号１８で示される。
【００３６】
次に、図３及び図４を参照して、本発明に係る第二実施例を説明する。
図３は、本発明に係る第二実施例の構成を示す図であり、図３（Ａ）・図３（Ｂ）・図３（Ｃ）は、それぞれ第二実施例の平面図・正面図・側面図を示している。
図４は、第二実施例に係るキャップを缶に装着してタブを開ける過程を示している。
【００３７】
本体３は樹脂成型により一体的に形成されており、保持部３１、タブ起こし部３２、周方向のミシン線３３とタブ起こし部長手方向のミシン線３４が設けられている。
【００３８】
缶への装着に際しては、まずタブ起こし部３２を引き上げてミシン線３４を切断し、図４（Ａ）に示す状態とする。次に缶２の上部から本体３を被せて缶の上縁２１に本体の保持部３１を嵌合して取付ける。すると、保持部３１が缶の上縁２１に係止して本体３が取付けられる。このとき、タブ起こし部３２を引き上げたことで本体に開いた挿入口３７とタブ２２の位置を合わせ、タブ起こし部３２をタブ２２の下から通して図４（Ｂ）に示す状態とする。そして、図３（Ｃ）に示すように、タブ２２の下から挿入されたタブ起こし部３２を引き起こすと容易に開缶することが可能となる。開缶時には、ミシン線３３が切断されてタブ２２上部のカバー３５がタブ２２と共に持ち上げられるので、スムーズなタブ操作が可能となる。開缶後は、キャップ３を外して容器に缶内容物を注ぐことができる。なお、本実施例における飛散防止部は、缶開口部上部に位置する部位であり、符号３６で示される。
【００３９】
次に、図５を参照して本発明に係る第三実施例を説明する。
図５は、本発明に係る第三実施例の構成を示しており、図５（Ａ）は、第一実施例を基にした構成を、図５（Ｂ）は、第二実施例を基にした構成を示している。なお、本図は使用状態における外観図である。
以下、便宜上前記実施例に示すものと共通する部分の説明は省略し、相違点のみ簡潔に説明する。本実施例は、キャップ４、５にそれぞれストロー挿入口４１、５１を設け、キャップを外すことなくストローで飲料を飲むことを可能としている。
【００４０】
次に、図６を参照して本発明に係る第四実施例を説明する。
図６は、本発明に係る第四実施例の構成を示しており、図６（Ａ）は、第一実施例を基にした構成を、図６（Ｂ）は、第二実施例を基にした構成を示している。
以下、便宜上前記実施例に示すものと共通する部分の説明は省略し、相違点のみ簡潔に説明する。
本実施例は、キャップ６、７にそれぞれ開口部を設け、その上に封止体６１、７１を設けて形成されている。封止体６１は樹脂フィルムをキャラクタの形状にカットして成り、キャラクタの体がプリントされている。その一端には剥離可能な粘着剤が塗布されており、前記開口部に貼り付けてこれを封止している。また、封止体７１は、キャラクタの形状に樹脂成型されており、表面にはプリントが施されている。底面には剥離可能な粘着剤が塗布されており、前記開口部に貼り付けてこれを封止している。封止体６１、７１は適宜選択したキャラクタの形状とすることができ、様々な種類のものを提供することで、消費者にこれを収集する楽しみを与えることができる。
【００４１】
次に、図７を参照して本発明に係る第五実施例を説明する。
図７は、本発明に係る第五実施例の構成を示している。
以下、便宜上前記実施例に示すものと共通する部分の説明は省略し、相違点のみ簡潔に説明する。
本実施例は、キャップを二重にすることにより、こぼれ防止性や缶内の衛生さを保つ力を強化したことを特徴としている。なお、キャップ８とキャップ９はそれぞれ前記第一実施例及び第二実施例に示すキャップ１と２に嵌合されるものであり、キャップ１と２より一回り大きく形成されている。キャップ８とキャップ９にはミシン線は設けられていない。また、キャップ上部には、それぞれキャップを外す場合に握る摘み部８１及び９１が設けられているが、この部材は前記封止体６１及び７１と共通である。
【００４２】
次に、図８を参照して本発明に係る第六実施例を説明する。
図８は、本発明に係る第六実施例の構成を示しており、図８（Ａ）は、上部キャップ１０Ｂの外観を、図８（Ｂ）は、キャップの装着過程を示している。なお、図８（Ｂ）では、すでに缶２に下部キャップ１０Ａが取付けられた状態にある。
本実施例は、前記第五実施例と同様、二重キャップを構成している。缶側に装着される下部キャップ１０Ａの構成は前記第一実施例において説明したものと同様である。上部キャップ１０Ｂは下部キャップ１０Ａと同様樹脂成型により形成されており、切欠き部１０１と小室１０２と嵌合部１０３が設けられている。
キャップ取付け時には、図８（Ｂ）に示すように上部キャップ１０Ｂの小室内に形象体が収納され、下部キャップ１０Ａのリム１０４の内側に上部キャップ１０Ｂの嵌合部１０３が嵌合される。このとき、プルタブ缶２のタブ２２側に上部キャップ１０Ｂの切欠き部１０１が位置し、上部キャップ１０Ｂを装着したままの状態でタブを開けることが可能となる。
なお、本実施例においては、キャップ１０Ｂの嵌合部１０３が下部キャップ１０Ａのリム１０４の内側に嵌合する構成を説明したが、これとは反対に嵌合部１０３がリム１０４の外側に嵌合する構成とすることもできる。また、嵌合部１０３またはリム１０４には上部キャップ１０Ｂが不用意に脱落することを防止するため、嵌合部１０３とリム１０４の一方または双方に突起等による係止手段や、接着や粘着等による固定手段を設けてもよい。また、本実施例においては、二重キャップとした構成を説明しているが、キャップは必ずしも二重である必要はなく、一重であってもかまわない。この場合、形象体１０Ｃを収納する小室１０２は下部キャップ１０Ａに設ければよく、その場所は図８（Ｂ）において形象体１０Ｃが配置される位置１０５の近傍とすればよい。
【００４３】
次に、図９を参照して本発明に係る第七実施例を説明する。
図９は、本発明に係る第七実施例の構成を示しており、図９（Ａ）は、本実施例に係るキャップ２０の外観を、図９（Ｂ）は、キャップ２０の装着状態と部材を切り離す過程を示している。なお、図９（Ｂ）上図では、すでに缶２にキャップ２０が取付けられた状態にある。
以下、便宜上前記実施例に示すものと共通する部分の説明は省略し、相違点のみ簡潔に説明する。本実施例の特徴は、装着時においてタブ側に位置する一角をキャップから切り離すことができるようにミシン線２０１を設けた点にある。使用時には、図９（Ｂ）に示すようにミシン線２０１を切断してキャップを１８０度回転させることにより、切欠き部２０２を缶開口部の上部に移動して、キャップ２０を缶から取外すことなく缶内容物を注ぐことができる。
なお、本実施例においては、第一実施例に係るキャップ１を基にした構成を説明したが、本発明にあっては、基とするキャップは他の実施例に示すものであっても構わない。その場合、各実施例に示すキャップのタブ側に位置する一角がキャップから切り離し可能となるようにミシン線を設ければよい。
【００４４】
次に、図１０を参照して本発明に係る第八実施例を説明する。
図１０は、本発明に係る第八実施例の構成を示しており、本図では、キャップ３０はすでに缶２に取付けられた状態にある。
以下、便宜上前記実施例に示すものと共通する部分の説明は省略し、相違点のみ簡潔に説明する。
本実施例の特徴は、キャップ周縁部に設けた保持部に一旦取付けられたキャップを破壊することなく缶から取外し困難とする再使用防止部３０１を形成し、一旦取り外されたキャップを、取り外されたことが判別できないように再度取付けることを防止可能とした点にある。再使用防止部３０１にはミシン線を設け、摘み部３０２を引くことで再使用防止部３０１を切断してキャップを取外し可能としている。キャップ３０は熱収縮性樹脂で形成されており、缶装着時には過熱することでキャップの再使用防止部３０１を収縮させて缶に密着して装着している。
なお、本実施例においては、第一実施例に係るキャップ１を基にした構成を説明したが、本発明にあっては、基とするキャップは他の実施例に示すものであっても構わない。その場合、各実施例に示すキャップの保持部に再使用防止部３０１を設ければよい。
【００４５】
次に、図１１を参照して本発明に係る第九実施例を説明する。
図１１は、本発明に係る第九実施例の構成を示している。図１１（Ａ）は、本実施例に係るキャップ４０を缶に取付ける前の状態を、図１１（Ｂ）は、キャップ４０を缶に取付けた状態を示している。
以下、便宜上前記実施例に示すものと共通する部分の説明は省略し、相違点のみ簡潔に説明する。
本実施例におけるキャップには二つの傾斜した凸部から成るタブ起こし部４０１とミシン線４０２が設けられている。缶２に装着する際にはまず、ミシン線４０２を切断して開口部を形成し、そこへタブ２２を通すことにより装着される。このように、本実施例においては、ミシン線４０２を切断することにより形成される開口部からタブ２２を入れることにより、タブ起こし部４０１がタブ２２の下から楔のようにしてタブ２２を持ち上げるので、タブが持ち上げられた状態となり、容易にタブを開けることが可能となる。このタブ起こし部４０１は、なだらかに傾斜した形状であるため、製造時に使用する金型を比較的容易に製造することができる。
【００４６】
次に、図１２を参照して本発明に係る第十実施例を説明する。
図１２は、本発明に係る第十実施例の構成を示している。図１２（Ａ）は、本実施例に係るキャップ５０を缶に取付ける前の状態を示しており、図１２（Ｂ）は、キャップ５０を缶に取付けた状態を示している。
以下、便宜上前記実施例に示すものと共通する部分の説明は省略し、相違点のみ簡潔に説明する。
本実施例におけるキャップには二つの傾斜した凸部からなるタブ起こし部５０１と、ミシン線５０２・５０３が設けられている。缶２に装着する際には、まずミシン線５０２を切断して開口部を形成し、そこへタブ２２を通すことにより装着される。
このように、本実施例においては、ミシン線５０２を切断することにより形成される開口部からタブ２２を入れることにより、タブ起こし部５０１がタブ２２の下から楔のようにしてタブ２２を持ち上げるので、タブが持ち上げられた状態となり、容易にタブを開けることが可能となる。このタブ起こし部５０１は、なだらかに傾斜した形状であるため、製造時に使用する金型を比較的容易に製造することができる。
そして、開缶後は、図１２（Ｃ）に示すように、ミシン線５０３を切断してキャップ前部５０４を折り曲げることにより、キャップ５０を缶２から取外すことなく缶飲料を飲用することができる。また、飲みかけの缶を保存する場合には、キャップ前部５０４を閉じることにより、缶に蓋をして、缶にゴミが入るなどの問題を解消することができる。
【００４７】
次に、図１３を参照して本発明に係る第十一実施例を説明する。
図１３は、本発明に係る第十一実施例の構成を示している。図１３（Ａ）は、本実施例に係るキャップ６０を缶に取付ける前の状態を示しており、図１３（Ｂ）は、本実施例に係るキャップ６０を缶に取付けた状態を示している。
以下、便宜上前記実施例に示すものと共通する部分の説明は省略し、相違点のみ簡潔に説明する。
本実施例におけるキャップ６０には、二つの傾斜した凸部からなるタブ起こし部６０１とミシン線６０２・６０４が設けられている。缶２に装着する際にはまずミシン線６０２を切断して、開口部を形成しから、そこへタブ２２を通すことにより装着される。
このように、本実施例においては、ミシン線６０２を切断することにより形成される開口部からタブ２２を入れることにより、タブ起こし部６０１がタブ２２の下から楔のようにしてタブ２２を持ち上げるので、タブが持ち上げられた状態となり、容易にタブを開けることが可能となる。このタブ起こし部６０１は、なだらかに傾斜した形状であるため、製造時に使用する金型を比較的容易に製造することができる。
そして、飲用時にはキャップ６０を１８０度回転してキャップ前部６０３を缶開口部の上に位置させてから、ミシン線６０４を図１３（Ｃ）に示すように切り離すことにより、キャップ６０を缶から外すことなく飲用することができる。本実施例においては、キャップ前部６０３が開閉可能な蓋となる。そのため、この蓋を閉じることにより、飲みかけの缶にゴミが入るなどの問題を解消することができる。
【００４８】
次に、図１４を参照して、本発明に係る第十二実施例を説明する。
図１４（Ａ）は本実施例に係る缶キャップの斜視図を示しており、図１５（Ｂ）はその平面図を示している。図１４（Ｃ）は、図１４（Ｂ）のＡ−Ａ・断面図である。
缶キャップ７０は前記第１１実施例をもとにして形成されており、便宜上前記実施例との共通する部分の説明は省略し、相違点のみ簡潔に説明する。
本実施例では、ミシン線７０３の破断を容易とするために、二つの支持凸部７０１・７０２を形成している。この支持凸部７０１・７０２は缶キャップ７０と飲料缶の上蓋との間に一定の隙間を作るための支えであり、押下げ部７０４を押下した際にミシン線７０３に剪断力が作用するようにするものである。
本実施例は以上説明したように構成されるが、本発明はこれに限定されることなく応用発展させることが可能であり、他の実施例に示す缶キャップに支持凸部を形成して構成しても構わない。
【００４９】
次に、図１５を参照して、本発明に係る第十三実施例を説明する。
図１５（Ａ）は、本実施例に係る缶キャップの斜視図を示しており、図１５（Ｂ）はその平面図を示している。
缶キャップ８０は前記第１１実施例をもとにして形成されており、便宜上前記実施例と共通する部分の説明は省略し、相違点のみ簡潔に説明する。
本実施例は、缶キャップ８０の上面に缶キャップの使用方法を示す表示部を設けて構成されている。表示内容には操作手順に対応した▲１▼〜▲３▼番号を振り、各番号の近傍には、使用方法を示す挿絵と、これに対応した簡単な説明文を表示している。この表示部の形成方法としては、インクジェット印刷やシルクスクリーン印刷などの通常知られる印刷手段を用いることができる。他の方法としては、缶キャップを成形する金型に表示内容の絵柄や文字を彫刻した凹凸部を形成しておき、缶キャップの成型時にこれを転写することにより形成してもよい。
【００５０】
次に、図１６を参照して、キャップ８０に設けられるキャップ保持部の構成を説明する。
図１６は、図１５に示すキャップの部分断面図であり、前記実施例に係るキャプに設けられるキャップ保持部の構造を拡大して示している。本図は、説明上必要な部分のみ記載しており、説明上必要ない部分は省略している。
以下、便宜上前記実施例に示すものと共通する部分の説明は省略し、相違点のみ簡潔に説明する。
図１６（Ａ）は、キャップ外周に尾根状の凸部８０１を形成して、この凸部によってプルタブ缶２の上縁部に係止するものである。図１６（Ｂ）は、キャップ外周部８０２を内側へ曲げることにより、プルタブ缶２の上縁部に係止するものである。なお、本構成は、第十三実施例に示すキャップだけでなく、他の実施例に示すキャップにおいても使用することができる。
【００５１】
【発明の効果】
本発明は、以上説明したような形態で実施され、次のような効果を奏する。
【００５２】
本発明によれば、開缶済みプルタブ缶の保管時における缶内容物のこぼれを防止し、缶内の衛生さを保つだけでなく、タブ開けに関する種々の不便さを解消可能な缶用キャップを提供することができる。
即ち、以下記載する三点の効果を得る。▲１▼タブが固く開けにくい缶であっても容易に開缶可能とすることができる。また、▲２▼プルタブ缶の開缶時に泡が飛散して手や服を汚してしまうことを防止することができる。また、▲３▼缶開口部が剥き出しになることを防止し、開缶時に缶内部に開口部切片が没入しても衛生さを保ち、犯罪等により毒物を缶開口部に塗布されることを防止することができる。
【００５３】
また、本発明によれば、キャップ周囲にプルタブ缶の上縁部に嵌合するキャップ保持部を形成しているので、嵌合位置を合わせて軽く押すだけで缶に装着することができる。また、缶装着時において切断する必要がある部分にミシン線を設けたことにより、道具を用いることなく容易に加工して缶に装着することができる。
【００５４】
また、本発明によれば、キャップ装着時においてタブ起こし部をタブの下から挿入することによりタブを持ち上げて、タブが固く開けにくい缶であっても容易に開缶可能とすることができる。
【００５５】
また、本発明によれば、キャップを取外すことなく飲料を飲むことが可能なタブ開け手段を設けた缶用キャップを提供することができる。即ち、キャップを取外すことなくストローをさしてジュースを飲むことや、開口部に貼付けられた封止体を剥がして開口部を開けることにより、飲料をカップに移し変えることが可能なタブ開け手段を設けた缶用キャップを提供することができる。
【００５６】
また、本発明によれば、キャップを缶に装着した際に缶開口部の近傍に位置する部位を、上方に折り曲げて、キャップを取外すことなく缶内容物を使用することが可能なタブ開け手段を設けた缶用キャップを提供することができる。
【００５７】
また、本発明によれば、タブ起こし部近傍を、一部切断したのち上方に折り曲げてキャップを１８０度回転させることにより、キャップを取外すことなく缶内容物を使用することが可能なタブ開け手段を設けた缶用キャップを提供することができる。
【００５８】
また、本発明によれば、二重にキャップをすることにより、安全性を高め、缶内容物の漏れ防止性を向上したタブ開け手段を設けた缶用キャップを提供することができる。
【００５９】
また、本発明によれば、封止体または摘み部にプリントを施すか、これら部材の外形をキャラクタの形状に形成するか、またはこれらを組み合わせて実施し、封止体または摘み部をキャップから取外し可能とすることにより、消費者に封止体または摘み部を収集する楽しみを与えるタブ開け手段を設けた缶用キャップを提供することができる。
【００６０】
また、本発明によれば、キャップに小室を形成し、この小室を物品収容部または泡の一時貯留部とすることができるので、この小室内に景品を収納して提供したり、炭酸飲料などの開缶時に発生する泡を小室内に一時的に貯留することで外部に泡が飛散することを防止したりすることが可能なタブ開け手段を設けた缶用キャップを提供することができる。
【００６１】
また、本発明によれば、キャップに設けたタブ起こし部側の一角をキャップから切り離すことで形成される切欠き部が缶開口部と略同位置に来るようにキャップを１８０度回転させることにより、この切欠き部から缶内容物を注ぎ出し可能なタブ開け手段を設けた缶用キャップを提供することができる。
【００６２】
また、本発明によれば、一旦取付けられたキャップを破壊することなく缶から取外し困難な再使用防止部を前記キャップ保持部に形成しているので、一旦取り外されたキャップを、取り外されたことが判別できないように再度取付けることを防止することができる。これにより、毒物の混入による犯罪を防止する上で有用なタブ開け手段を設けた缶用キャップを提供することができる。
【００６３】
また本発明によれば、キャップに形成されたミシン線の近傍に下方に突出した支持凸部を設けることにより、飲料缶の上蓋とキャップの間に隙間を形成している。そのため、ミシン線の近傍を上方から押下するとミシン線に剪断力が作用し、容易に破断することができる。
【００６４】
また本発明によれば、キャップの使用方法を示す挿絵と、使用手順を示す文字又は数字と、使用方法を述べた説明文と、キャップに設けられた部材の曲げ方向やキャッツプ本体の移動方向を示す記号のうち一つ以上のものが記載される表示部をキャップの上面に設けているので、はじめて使用する者であっても使用方法を容易に理解することができる。
【図面の簡単な説明】
【図１（Ａ）〜（Ｃ）】本発明に係る第一実施例の構成を示す図である。
【図２（Ａ）〜（Ｃ）】図１に示すキャップを缶に装着してタブを開ける過程を示す図である。
【図３（Ａ）〜（Ｃ）】本発明に係る第二実施例の構成を示す図である。
【図４（Ａ）〜（Ｃ）】図３に示すキャップを缶に装着してタブを開ける過程を示す図である。
【図５（Ａ）〜（Ｂ）】本発明に係る第三実施例の構成を示す図である。
【図６（Ａ）〜（Ｂ）】本発明に係る第四実施例の構成を示す図である。
【図７（Ａ）〜（Ｂ）】本発明に係る第五実施例の構成を示す図である。
【図８（Ａ）〜（Ｂ）】本発明に係る第六実施例の構成を示す図である。
【図９（Ａ）〜（Ｂ）】本発明に係る第七実施例の構成を示す図である。
【図１０】本発明に係る第八実施例の構成を示す図である。
【図１１（Ａ）〜（Ｂ）】本発明に係る第九実施例の構成を示す図である。
【図１２（Ａ）〜（Ｃ）】本発明に係る第十実施例の構成を示す図である。
【図１３（Ａ）〜（Ｃ）】本発明に係る第十一実施例の構成を示す図である。
【図１４（Ａ）〜（Ｂ）】本発明に係る第十二実施例の構成を示す図である。
【図１５（Ａ）〜（Ｃ）】本発明に係る第十三実施例の構成を示す図である。
【図１６（Ａ）〜（Ｂ）】図１５に示すキャップの部分断面図である。
【図１７（Ａ）〜（Ｂ）】従来のプルタブ缶用キャップの構成を示す図である。
【符号の説明】
１      キャップ
２      プルタブ缶
３      キャップ
４      キャップ
５      キャップ
６      キャップ
７      キャップ
８      キャップ
９      キャップ
１０Ａ  下部キャップ
１０Ｂ  上部キャップ
１０Ｃ  形象体
１１    保持部
１２    挿入口
１３    ミシン線
１４    凸部
１５    斜面部
１８    飛散防止部
２０    キャップ
２１    上縁
２２    タブ
３０    キャップ
３１    保持部
３２    タブ起こし部
３３    ミシン線
３４    ミシン線
３５    カバー
３６    飛散防止部
３７    挿入口
４０    キャップ
４１    ストロー挿入口
５０    キャップ
５１    ストロー挿入口
６０    キャップ
６１    封止体
７０    キャップ
７１    封止体
８１    摘み部
９１    摘み部
１０１  切欠き部
１０２  小室
１０３  嵌合部
１０４  リム
２０１  ミシン線
２０２  切欠き部
３０１  再使用防止部
３０２  摘み部
４０１  タブ起こし部
４０２  ミシン線
５０１  タブ起こし部
５０２  ミシン線
５０３  ミシン線
５０４  キャップ前部
６０１  タブ起こし部
６０２  ミシン線
６０３  キャップ前部
６０４  ミシン線
７０１  支持凸部
７０２  支持凸部
８０１  凸部
８０２  外周部
【図１（Ａ）】
2004189338.tif 000003
【図１（Ｂ）】
2004189338.tif 000004
【図１（Ｃ）】
2004189338.tif 000005
【図２（Ａ）】
2004189338.tif 000006
【図２（Ｂ）】
2004189338.tif 000007
【図２（Ｃ）】
2004189338.tif 000008
【図３（Ａ）】
2004189338.tif 000009
【図３（Ｂ）】
2004189338.tif 000010
【図３（Ｃ）】
2004189338.tif 000011
【図４（Ａ）】
2004189338.tif 000012
【図４（Ｂ）】
2004189338.tif 000013
【図４（Ｃ）】
2004189338.tif 000014
【図５（Ａ）】
2004189338.tif 000015
【図５（Ｂ）】
2004189338.tif 000016
【図６（Ａ）】
2004189338.tif 000017
【図６（Ｂ）】
2004189338.tif 000018
【図７（Ａ）】
2004189338.tif 000019
【図７（Ｂ）】
2004189338.tif 000020
【図８（Ａ）】
2004189338.tif 000021
【図８（Ｂ）】
2004189338.tif 000022
【図９（Ａ）】
2004189338.tif 000023
【図９（Ｂ）】
2004189338.tif 000024
【図１０】
2004189338.tif 000025
【図１１（Ａ）】
2004189338.tif 000026
【図１１（Ｂ）】
2004189338.tif 000027
【図１２（Ａ）】
2004189338.tif 000028
【図１２（Ｂ）】
2004189338.tif 000029
【図１２（Ｃ）】
2004189338.tif 000030
【図１３（Ａ）】
2004189338.tif 000031
【図１３（Ｂ）】
2004189338.tif 000032
【図１３（Ｃ）】
2004189338.tif 000033
【図１４（Ａ）】
2004189338.tif 000034
【図１４（Ｂ）】
2004189338.tif 000035
【図１４（Ｃ）】
2004189338.tif 000036
【図１５（Ａ）】
2004189338.tif 000037
【図１５（Ｂ）】
2004189338.tif 000038
【図１６（Ａ）】
2004189338.tif 000039
【図１６（Ｂ）】
2004189338.tif 000040
【図１７（Ａ）】
2004189338.tif 000041
【図１７（Ｂ）】
2004189338.tif 000042
【手続補正書】
【提出日】平成15年5月8日(2003.5.8)
【手続補正１】
【補正対象書類名】明細書
【補正対象項目名】図面の簡単な説明
【補正方法】変更
【補正の内容】
【図面の簡単な説明】
【図１（Ａ）〜（Ｃ）】本発明に係る第一実施例の構成を示す図である。
【図２（Ａ）〜（Ｃ）】図１に示すキャップを缶に装着してタブを開ける過程を示す図である。
【図３（Ａ）〜（Ｃ）】本発明に係る第二実施例の構成を示す図である。
【図４（Ａ）〜（Ｃ）】図３に示すキャップを缶に装着してタブを開ける過程を示す図である。
【図５（Ａ）〜（Ｂ）】本発明に係る第三実施例の構成を示す図である。
【図６（Ａ）〜（Ｂ）】本発明に係る第四実施例の構成を示す図である。
【図７（Ａ）〜（Ｂ）】本発明に係る第五実施例の構成を示す図である。
【図８（Ａ）〜（Ｂ）】本発明に係る第六実施例の構成を示す図である。
【図９（Ａ）〜（Ｂ）】本発明に係る第七実施例の構成を示す図である。
【図１０】本発明に係る第八実施例の構成を示す図である。
【図１１（Ａ）〜（Ｂ）】本発明に係る第九実施例の構成を示す図である。
【図１２（Ａ）〜（Ｃ）】本発明に係る第十実施例の構成を示す図である。
【図１３（Ａ）〜（Ｃ）】本発明に係る第十一実施例の構成を示す図である。
【図１４（Ａ）〜（Ｃ）】本発明に係る第十二実施例の構成を示す図である。
【図１５（Ａ）〜（Ｂ）】本発明に係る第十三実施例の構成を示す図である。
【図１６（Ａ）〜（Ｂ）】図１５に示すキャップの部分断面図である。
【図１７（Ａ）〜（Ｂ）】従来のプルタブ缶用キャップの構成を示す図である。